(57)【要約】      （修正有）【課題】屋内、屋外を問わず水や湿気のある場所であっても支障なく読むことが出来る携帯持ち運びが便利な新書本様式の耐水性本を提供する。【解決手段】所要の印刷が施された複数枚の耐水性シート２，２・・・を積層し、その積層された耐水性シートの綴じ部位を接着剤３により接合し無線綴じ製本したことによる。前記耐水性シートへの印刷はＵＶインクによることが好ましい。また耐水性シートの表面にエンボス、細溝等の凹凸加工を施すことが耐水性シートが湿った際に貼り付いてしまうことを防ぐ上で望ましい。【選択図】図１
0003144686.tif 000002
【実用新案登録請求の範囲】
【請求項１】
所要の印刷が施された複数枚の耐水性シートを積層し、その積層された耐水性シートの綴じ部位が耐水性に富む接着剤により無線綴じされていることを特徴とする耐水性本。
【請求項２】
前記綴じ部位が、積層された耐水性シートの側端位置とされ、この綴じ部位で耐水性に富む接着剤により無線綴じされていることを特徴とする請求項１記載の耐水性本。
【請求項３】
前記耐水性に富む接着剤がポリウレタン系の成分からなる請求項１、２いずれか記載の耐水性本。
【請求項４】
前記耐水性シートが塩化ビニルで構成され、その厚さが０．０５〜０．５ｍｍであることを特徴とする請求項１〜３のいずれか１項記載の耐水性本。
【請求項５】
前記耐水性シートがポリエステルで構成され、その厚さが０．０５〜０．５ｍｍであることを特徴とする請求項１〜３のいずれか１項記載の耐水性本。
【請求項６】
前記耐水性シートが合成紙で構成され、その厚さが０．０５〜０．５ｍｍであることを特徴とする請求項１〜３のいずれか１項記載の耐水性本。
【請求項７】
前記耐水性シートの表面にＵＶインクにより所要の印刷が施されていることを特徴とする請求項１〜６のいずれか１項に記載の耐水性本。
【請求項８】
前記耐水性シートの表面にエンボス、細溝等の凹凸が施されていることを特徴とする請求項１〜７のいずれか１項に記載の耐水性本。
【考案の詳細な説明】
【技術分野】
【０００１】  本考案は屋内、屋外を問わず水や湿気の多い場所において読むための耐水性本に関する。
【背景技術】
【０００２】  入浴時の読書や、屋外での活動の際に本を読む機会が増え、従来の紙製の本より耐水性に富む本の需要が増えており、いくつかの耐水性本が提案されている。
（特許文献１、２）【０００３】  上記特許文献に開示されている耐水性本は、耐水性シートを複数枚重ね合わせるのに専用綴じ具で製本するリング製本構造（特許文献１）、耐水性糸を使用する中綴じ、平綴じ製本構造（特許文献２）である。【０００４】  しかしながら上記製本方法では、持ち運び携帯に便利な新書本様式の耐水性本を製作するのに難があった。
【特許文献１】実用新案登録  ３１０４２１４
【特許文献２】実用新案登録  ３１２２１４１
【考案の開示】
【考案が解決しようとする課題】
【０００５】  本考案は、屋内、屋外を問わず水や湿気の多い場所にあっても支障なく読むことが出来、本としての形態機能を長期にわたり維持でき、持ち運び携帯に便利な新書本様式の耐水性本を提供することを課題としている。
【課題を解決するための手段】
【０００６】  上記課題を解決する手段として本考案は、所要の印刷が施された複数枚の耐水性シートを積層し、その積層された耐水性シートの側端位置を綴じ部位とし、耐水性に富む接着剤により接合し無線綴じ製本したことによる。【０００７】  前記接着剤としてはホットメルトタイプを用いるのが良く、好ましくはポリウレタン系接着剤が望ましい。【０００８】  耐水性シートは塩化ビニルシートで厚さ０．０５〜０．５ｍｍであることが適当であり、ポリエステルシートを用いる場合にも同様に０．０５〜０．５ｍｍであることが適当である。【０００９】  さらに耐水性シートとして、ユポやピーチコート等の合成紙も使用可能であり厚さは同様に０．０５〜０．５ｍｍであることが適当である。【００１０】  前記耐水性シートへの印刷はＵＶインクによることが好ましい。また耐水性シートの表面にエンボス、細溝等の凹凸加工を施すことが耐水性シートが湿った際に貼り付いてしまうことを防ぐ上で望ましい。【００１１】  本考案による耐水性本は、新書本を始めとして一般の小説、コミック、屋外ガイドマップ、学習教材、教科書等々様々な種類の書籍として提供することが出来る。
【考案の効果】
【００１２】  本考案によれば、表紙、裏表紙および本文各ページが耐水性シートで構成されており、耐水性および耐久性に富む接着剤で各シートを接合しているので屋外、屋内を問わず水分、湿気が多い場所でも快適に読める、携帯し易く持ち運びに便利な無線綴じ構造の新書本様式の耐水性本の提供が可能になる。【００１３】  更に上記接着剤に耐水性、耐久性に富むポリウレタン系を使用することにより各ページが散逸、脱落することのなく長期にわたり本としての機能形態が維持できる。
【考案を実施するための最良の形態】
【００１４】  図１〜図２は本考案による無線綴じ構造の耐水性本１の基本的実施形態を示すものである。【００１５】  上記耐水性本１は、新書本とする場合には一辺が１７３ｍｍ、他辺が１０５ｍｍの矩形状とされるが、本の目的に応じ適宜な寸法を選択することができる。【００１６】  前記耐水性本１の表紙、裏表紙、及び本文各ページは耐水性シート２，２・・・より構成されている。【００１７】  この耐水性シート２は塩化ビニル樹脂シートまたはポリエステルシート、合成紙で厚さ０．０５〜０．５ｍｍの範囲のものが適当である。【００１８】  なを、必要により耐水性シート２の厚さは表紙２ａ、裏表紙２ｂは本文２ｃより厚手の耐水性シートを用いることが出来る。【００１９】  各ページの印刷は、水濡れや湿気により剥落することの無いＵＶインク（紫外線照射硬化インク）を用いて所用内容の印刷がなされる。【００２０】  上記耐水性シート２、２・・・を綴じて製本する手段として、本考案においては耐水性シート２の側端部位を耐水性に富む接着剤３を用いて接合する無線綴じにて製本する。【００２１】  前記耐水性に富む接着剤３にはホットメルトタイプが適しており、ポリウレタン系樹脂成分が好ましい。【００２２】  図２は本考案の無線綴じで製本した耐水性本を閉じた状態での端面を示す図であり耐水性シートの複数の本文２ｃの端面部が、連続している１枚の同じく耐水性シートの表紙２ａ及び裏表紙２ｂに包まれる形で接着剤３により無線綴じ製本接合されている。【００２３】  耐水性本１を水中に落したり、水で濡れた場合に各ページがぴったり貼り付き剥し難くなることを防止するために、各ページを構成する耐水性シート２，２・・・の表面にエンボス、細溝等の凹凸加工を施すことができる。【００２４】  こうすることにより、耐水性本１を水中に落としたり水で濡れても耐水性シート２、２・・・間に微小な隙間が形成されることにより貼り付きが防止される。【００２５】  上記無線綴じにて製本した耐水性本は、リング等を使用していないので携帯持ち運びがしやすい新書本の形態での利用が可能になり、様々な書籍本の耐水性本への応用、利用に役立たせることができる。
【図面の簡単な説明】
【００２６】
【図１】本考案による耐水性本を無線綴じ製本した場合の斜視図
【図２】同端面図
【符号の説明】
【００２７】      １    本考案による耐水性本
２    耐水性シート
２ａ  表紙
２ｂ  裏表紙
２ｃ  本文
３    接着剤
【図１】
0003144686.tif 000003
【図２】
0003144686.tif 000004